(57)【要約】      （修正有）【課題】ＰＤＰ装置電極パッドの電極間位置決め公差確保と、マイグレーションでの電極間短絡防止、コネクタ電極との接触性向上を目的とする。【解決手段】ＰＤＰ装置は、ａ）ＰＤＰの電極と繋がれて第１線幅の第１電極連結部、一方端が前記第１電極連結部と繋がれて前記第１線幅より小さな第２線幅の第１中間連結部、一方端が前記端末連結部の他方端と繋がれて前記第２線幅より大きい第３線幅の第２コネクタ連結部を含む第１電極部と、ｂ）前記ＰＤＰの電極と繋がれて第４線幅の第２電極連結部、一方端が前記第１ 端末部と繋がれて前記第４線幅より小さいか同じ第５線幅の第２中間連結部、一方端が前記端末連結部の他方端と繋がれて前記第５線幅より大きい第６線幅を持った第２コネクタ連結部を含む第２電極部と、を含み前記第１電極部は前記第２電極部に隣接するように配置され、前記第１中間連結部の長さと前記第２中間連結部の長さが異なる事を特徴とする。【選択図】図４
2006073536.tif 000002
【特許請求の範囲】
【請求項１】
電極を含むプラズマディスプレイパネルと、
前記プラズマディスプレイパネルを駆動する電極駆動部と、
前記電極駆動部と前記電極を連結する電極パッドとを含み、
前記電極パッドは、
前記プラズマディスプレイパネルの電極と繋がれて第１線幅を持った第１電極連
結部と、一方端が前記第１電極連結部と繋がれて前記第１線幅より小さな第２線幅を持つ第１中間連結部と、一方端が前記第１中間連結部の他の方端と繋がれて前記第２線幅より大きい第３線幅を持った第１コネクタ連結部とを含む第１電極部と、
前記プラズマディスプレイパネルの電極と繋がれて第４線幅を持った第２電極連結部と、一方端が前記第２電極連結部と繋がれて前記第４線幅以下の第５線幅を持つ第２中間連結部と、一方端が前記第２中間連結部の他の方端と繋がれて前記第５線幅より大きい第６線幅を持った第２コネクタ連結部とを含む第２電極部と、を含み、
前記第１電極部は前記第２電極部に隣接するように配置されて、前記第１中間連結部の長さと前記第２中間連結部の長さは互いに異なることを特徴とする、プラズマディスプレイ装置。
【請求項２】
前記第１電極連結部と前記第２電極連結部はホワイト-バック層（ｗｈｉｔｅ−ｂａｃｋ  ｌａｙｅｒ）によって覆われており、
前記第１コネクタ連結部及び前記第２コネクタ連結部はＡＣＦ層によって覆われていることを特徴とする、請求項１記載のプラズマディスプレイ装置。
【請求項３】
前記第１中間連結部と前記第２中間連結部は前記ホワイト-バック層と前記ＡＣＦ層の間の領域で露出することを特徴とする、請求項２記載のプラズマディスプレイ装置。
【請求項４】
前記第１中間連結部の長さが前記第２中間連結部の長さより短く、
前記第２中間連結部の第５線幅は前記第２電極連結部の第４線幅より小さいことを特徴とする、請求項１記載のプラズマディスプレイ装置。
【請求項５】
前記第１コネクタ連結部の第３線幅は前記第１線幅より大きく、
前記第２コネクタ連結部の第６線幅は前記第２電極連結部の第４線幅より大きいことを特徴とする、請求項１記載のプラズマディスプレイ装置。
【請求項６】
前記第１コネクタ連結部と前記第２中間連結部の間隔と、前記第１コネクタ連結部の第３線幅とが等しいことを特徴とする、請求項４記載のプラズマディスプレイ装置。
【請求項７】
前記第１電極連結部及び前記第２電極連結部は同一直線上に配列される一方、前記第１コネクタ連結部及び前記第２コネクタ連結部は同一直線上には配列されないことを特徴とする、請求項１乃至６何れか記載のプラズマディスプレイ装置。
【請求項８】
前記電極パッドは複数個の第１電極部と複数個の第２電極部とを含み、
前記複数個の第１電極部中の一つまたは一つ以上の第１電極部に含まれた第１コネクタ連結部の線幅が残り第１電極部に含まれた第１コネクタ連結部の線幅と第１の差を有し、前記第１の差は５um以上最大１００ｕｍ 以下であり、
前記複数個の第２電極部中の一つまたは一つ以上の第２電極部に含まれた第２コネクタ連結部の線幅が残り第２電極部に含まれた第２コネクタ連結部の線幅と第２の差を有し、前記第２の差は５ｕｍ 以上最大１００ｕｍ 以下であることを特徴とする、請求項１記載のプラズマディスプレイ装置。
【請求項９】
前記第１コネクタ連結部の第３線幅は前記第１線幅より大きく、前記第２コネクタ連結部の第６線幅は前記第２電極連結部の第４線幅より大きく、
前記第２中間連結部の第５線幅が前記第２電極連結部の第４線幅と略同一であることを特徴とする、請求項１記載のプラズマディスプレイ装置。
【請求項１０】
前記第１コネクタ連結部の第３線幅は前記第１線幅より大きく前記第２コネクタ連結部の第６線幅は前記第２電極連結部の第４線幅より大きく、前記第２中間連結部の第５線幅が前記第２電極連結部の第４線幅より小さく、且つ、前記第２中間連結部の長さが前記第１中間連結部の長さより大きく、
前記第１電極部は、前記第１コネクタ連結部と繋がれて前記第１コネクタ連結部の第３線幅より小さな線幅を持った補助連結部をさらに含むことを特徴とする、請求項１記載のプラズマディスプレイ装置。
【請求項１１】
前記補助連結部を含む前記第１電極部の長さは前記第２電極部の長さと等しいことを特徴とする、請求項１０記載のプラズマディスプレイ装置。
【請求項１２】
前記第１コネクタ連結部の第３線幅は前記第１線幅より大きく、前記第２コネクタ連結部の第６線幅は前記第２電極連結部の第４線幅より大きく、前記第２中間連結部の線幅が前記第２電極連結部の第４線幅より小さく、前記第２中間連結部の長さが前記第１中間連結部の長さより大きく、
前記電極パッドは、
前記プラズマディスプレイパネルの電極と繋がれて第７線幅を持った第３電極連結部、 一方端が前記第３電極連結部と繋がれて第７線幅より小さな第８線幅を持つ第３中間連結部、及び、一方端が前記第３中間連結部の他の方端と繋がれて第８線幅より大きい第９ 線幅を持った第３コネクタ連結部を含む第３電極部をさらに含み、
前記第３電極部は、前記第２電極部に隣接するように配置され、前記第３中間連結部の長さは前記第２中間連結部より大きいことを特徴とする、 請求項１記載のプラズマディスプレイ装置。
【請求項１３】
プラズマディスプレイパネルの電極と繋がれて第１線幅を持った第１電極連結部と、一方端が前記第１電極連結部と繋がれて前記第１線幅より小さな第２線幅を持つ第１中間連結部と、一方端が前記端末連結部の他の方端と繋がれて前記第２線幅より大きい第３線幅を持った第２コネクタ連結部とを含む第１電極部と、
前記プラズマディスプレイパネルの電極と繋がれて第４線幅を持った第２電極連結
部と、一方端が前記第１ 端末部と繋がれて前記第４線幅以下の第５線幅を持つ第２中間連結部と、一方端が前記端末連結部の他の方端と繋がれて前記第５線幅より大きい第６線幅を持った第２コネクタ連結部とを含む第２電極部と、
を含み、
前記第１電極部は、前記第２電極部に隣接するように配置されて前記第１中間連結部の
長さと前記第２中間連結部の長さは互いに異なることを特徴とする、電極パッド。
【請求項１４】
前記第１電極連結部と前記第２電極連結部はホワイト-バック層によって覆われており、
前記第１コネクタ連結部及び前記第２コネクタ連結部はＡＣＦ層によって覆わており、
前記第１中間連結部及び前記第２中間連結部は前記ホワイト-バック層と前記ＡＣＦ層の間の領域で露出することを特徴とする、請求項１３記載の電極パッド。
【請求項１５】
前記第１中間連結部の長さが前記第２中間連結部の長さより短く、
前記第２中間連結部の第５線幅は前記第２電極連結部の第４線幅より小さなことを特徴とする、請求項１３記載の電極パッド。
【請求項１６】
前記第１コネクタ連結部の第３線幅は前記第１線幅より大きく、
前記第２コネクタ連結部の第６線幅は前記第２電極連結部の第４線幅より大きいことを特徴とする、請求項１３記載の電極パッド。
【請求項１７】
前記第１コネクタ連結部と前記第２中間連結部の間隔と、前記第１コネクタ連結部の第３線幅とが等しいことを特徴とする、請求項１５記載の電極パッド。
【請求項１８】
前記第１コネクタ連結部の第３線幅は前記第１線幅より大きく、前記第２コネクタ連結部の第６線幅は前記第２電極連結部の第４線幅より大きく、
前記第２中間連結部の第５線幅が前記第２電極連結部の第４線幅と略同一であることを特徴とする、請求項１３記載の電極パッド。
【請求項１９】
前記第１コネクタ連結部の第３線幅は前記第１線幅より大きく、前記第２コネクタ連結部の第６線幅は前記第４線幅より大きく、前記第２中間連結部の第５線幅が前記第２電極連結部の第４線幅より小さく、且つ、前記第２中間連結部の長さが前記第１中間連結部の長さより大きく、
前記第１電極部は、
前記第１コネクタ連結部と繋がれて前記第１コネクタ連結部の第３線幅より小さな線幅を持った補助連結部をさらに含むことを特徴とする、請求項１３記載の電極パッド。
【請求項２０】
前記補助連結部を含む前記第１電極部の長さは前記第２電極部の長さと等しいことを特徴とする、請求項１９記載の電極パッド。
【請求項２１】
前記第１コネクタ連結部の第３線幅は前記第１線幅より大きく、前記第２コネクタ連結部の第６線幅は前記第２電極連結部の第４線幅より大きく、前記第２中間連結部の線幅が前記第２電極連結部の第４線幅より小さく、前記第２中間連結部の長さが前記第１中間連結部の長さより大きく、
前記電極パッドは、
前記プラズマディスプレイパネルの電極と繋がれて第７線幅を持った第３電極連結部と、
一方端が前記第３電極連結部と繋がれて第７線幅より小さな第８線幅を持つ第３中間連結部、及び、一方端が前記第３ 中間連結部の他の方端と繋がれて第８線幅より大きい第９線幅を持った第３コネクタ連結部を含む第３電極部をさらに含み、
前記第３電極部は、前記第２電極部に隣接するように配置され、前記第３中間連結部の長さは前記第２中間連結部より大きいことを特徴とする、請求項１３記載の電極パッド。
【請求項２２】
前記第１電極連結部及び前記第２電極連結部は同一直線上に配列される一方、前記第１コネクタ連結部及び前記第２コネクタ連結部は同一直線上には配列されないことを特徴とする、請求項１３乃至２１何れか記載の電極パッド。
【発明の詳細な説明】
【技術分野】
【０００１】
本発明はプラズマディスプレイ装置に関し、より詳くは、電極パッドを含むプラズマディスプレイ装置に関する。
【背景技術】
【０００２】
図１は一般的なプラズマディスプレイ装置の分解斜視図である。図１に示すように、一般的なプラズマディスプレイ装置は上部構造と下部構造で構成される。下部構造は下部基板９とアドレス電極２とを含む。上部構造は上部基板１と、スキャン電極３及びサステイン電極４と、誘電体層５と保護層６とを含む。また下部構造は、上部基板１と下部基板２の間を支持する隔壁７と、隔壁７の表面に塗布された蛍光体８とをさらに含む。不活性ガスは、上部構造と下部構造の間の空間に注入されて放電領域が形成される。
【０００３】
このように構成された一般的なプラズマディスプレイ装置は、セットアップ期間（ｓｅｔ−ｕｐ  ｐｅｒｉｏｄ）に上昇ランプパルス（ｒｉｓｉｎｇ  ｒａｍｐ  ｐｕｌｓｅ）をスキャン電極３に印加して、プラズマディスプレイパネル上のすべての放電セルに十分な電荷を生成する。以後、一般的なプラズマディスプレイ装置は、セッダウン期間(set-down perioｄ）に下降ランプパルス(falling ramp pulsｅ）をスキャン電極３に印加して、電荷を適度に消去してすべての放電セルの電荷分布を均一にさせる。
【０００４】
一般的なプラズマディスプレイ装置はアドレス期間でアドレスパルスとスキャンパルスをそれぞれアドレス電極２とスキャン電極３に印加してターンオンされるセルを選択する。
【０００５】
次に、一般的なプラズマディスプレイ装置は、サステイン期間でスキャン電極３とサステイン電極４に交番されるようにサステインパルスを印加して、アドレス期間で選択されたセルでサステイン放電が起きるようにする。
【０００６】
このような動作をするために一般的なプラズマディスプレイ装置のドライバーＩＣは、電極パッドを通じてプラズマディスプレイパネルのアドレス電極２、スキャン電極３及びサステイン電極４に駆動パルスを印加する。
【０００７】
図２は従来のプラズマディスプレイ装置の電極パッドを示す平面図である。図２に示すように、従来のプラズマディスプレイ装置の電極パッドは、ガラス基板１１１、ガラス基板１１１上に形成された電極部１１０、電極部１１０の一側に配置されたホワイト-バック層（ｗｈｉｔｅ−ｂａｃｋ  ｌａｙｅｒ）１１２、電極部１１０の他側に配置されたＡＣＦ（Ａｎｉｓｏｔｒｏｐｉｃ  Ｃｏｎｄｕｃｔｉｖｅ  Ｆｉｌｍ）層１１３及び電極部１１０に対応されるコネクタ電極１１５を含むコネクタ１１４で構成される。この時、コネクタ１１４は電極駆動部(未図示)から入力された駆動パルスを電極部１１０に印加する。
【０００８】
この時、コネクタ１１４はＣＯＦ（Ｃｈｉｐ  Ｏｎ  Ｆｉｌｍ）、ＴＣＰ（Ｔａｐｅ  Ｃａｒｒｉｅｒ  Ｐａｃｋａｇｅ）またはＦＰＣ（Ｆｌｅｘｉｂｌｅ  Ｐｒｉｎｔｅｄ  Ｃｉｒｃｕｉｔｓ）で構成されるが、これがプラズマディスプレイ装置の製造原価を上昇させる原因になっている。 したがってコネクタ（Ｃｏｎｎｅｃｔｏｒ）１１４による製造原価の上昇を防止するために電極ピッチ（ｐｉｔｃｈ）が微細化されている。電極ピッチが微細化されるによってマイグレイション（Ｍｉｇｒａｔｉｏｎ）現象によって電極の間の電気的な短絡が発生し易い問題がある。ここで、マイグレイション（Ｍｉｇｒａｔｉｏｎ）現象はイオン化された電極材料が周辺に移動する現象である。
【０００９】
特に、従来の電極パッドの場合、コネクタ１１４の連結のためのＡＣＦ層１１３と電極部１１０間の界面でマイグレイションによる短絡が頻繁に発生する。また既存の電極部１１０の幅は一定であるから、電極ピッチが微細化になるほどホワイト-バック層１１２とＡＣＦ層１１３の間に露出した電極部１１０でマイグレイションによる短絡発生の可能性がさらに大きくなる。 また、電極ピッチが微細化になるほど電極部１１０とコネクタ電極１１５のアラインメントトレランス（ａｌｉｇｎ  ｔｏｌｅｒａｎｃｅ）、即ち、位置決め公差が小さくなり、不良確率が増加する。換言すれば、位置決めの際に許容できる誤差が小さくなり、歩留まりを低下させる。また、電極部１１０のピッチが微細化になるほど電極部１１０とコネクタ電極１１５間の接触性が低下される。
【発明の開示】
【発明が解決しようとする課題】
【００１０】
本発明の目的は、マイグレイションによる電極電気的な短絡の発生を防止するための電極パッド及びプラズマディスプレイ装置を提供することにある。
【００１１】
本発明の他の目的は、位置決め公差を確保することができる電極パッド及びプラズマディスプレイ装置を提供することにある。
【００１２】
本発明のまた他の目的は、電極との接触性を上昇させる電極パッド及びプラズマディスプレイ装置を提供することにある。
【課題を解決するための手段】
【００１３】
本発明のプラズマディスプレイ装置は電極を含むプラズマディスプレイパネル、 前記プラズマディスプレイパネルを駆動する電極駆動部及び前記電極駆動部と前記電極を連結する電極パッドを含む。前記電極パッドは、第１電極部と第２電極部とを含む。
第１電極部は、
ａ）プラズマディスプレイパネルの電極と繋がれて第１線幅を持った第１電極連結部、
ｂ）一方端が前記第１電極連結部と繋がれて前記第１線幅より小さな第２線幅を持つ第１中間連結部
ｃ）一方端が前記端末連結部の他の方端と繋がれて前記第２線幅より大きい第３線幅を持った第２コネクタ連結部
を含む。
第２電極部は、
ｄ）前記プラズマディスプレイパネルの電極と繋がれて第４線幅を持った第２電極連結部と、
ｅ）一方端が前記第１ 端末部と繋がれて前記第４線幅より小さいとか同じ第５線幅を持つ第２中間連結部と、
ｆ）一方端が前記端末連結部の他の方端と繋がれて前記第５線幅より大きい第６線幅を持った第２コネクタ連結部と、
を含む。
また、前記第１電極部は前記第２電極部に隣接するように配置されて前記第１中間連結部の長さと前記第２中間連結部の長くはお互いに異なることを特徴とする。
【００１４】
前記第１電極連結部と前記第２電極連結部はホワイト-バック層によって覆われ、前記第１コネクタ連結部と前記第２コネクタ連結部はＡＣＦ層によって覆われることを特徴とする。
【００１５】
前記第１中間連結部と前記第２中間連結部は前記ホワイト-バック層と前記ＡＣＦ層の間の領域で露出することを特徴とする。
【００１６】
前記第１中間連結部の長さが前記第２中間連結部の長さより短く、且つ、前記第２中間連結部の第５線幅は前記第２電極連結部の第４線幅より小さなことを特徴とする。
【００１７】
前記第１コネクタ連結部の第３線幅は前記第１線幅より大きく、且つ、前記第２コネクタ連結部の第６線幅は前記第２電極連結部の第４線幅より大きいことを特徴とする。
【００１８】
前記第１コネクタ連結部と前記第２中間連結部の間隔と、前記第１コネクタ連結部の第３線幅とが等しいことを特徴とする。
前記第１電極連結部及び前記第２電極連結部は同一直線上に配列される一方、前記第１コネクタ連結部及び前記第２コネクタ連結部は同一直線上には配列されないことを特徴とする。
【００１９】
前記電極パッドは複数個の第１電極部と複数個の第２電極部を含む。前記複数個の第１電極部中の一つまたは一つ以上の第１電極部に含まれた第１コネクタ連結部の線幅が残り第１電極部に含まれた第１コネクタ連結部の線幅と第１の差を有し、前記第１の差は５ｕｍ 以上最大１００um以下である。また、前記複数個の第２電極部中の一つまたは一つ以上の第２電極部に含まれた第２コネクタ連結部の線幅が残り第２電極部に含まれた第２コネクタ連結部の線幅と第２の差を有し、前記第２の差は５ｕｍ 以上最大１００ｕｍ以下であることを特徴とする。
【００２０】
前記第１コネクタ連結部の第３線幅は前記第１線幅より大きく、 前記第２コネクタ連結部の第６線幅は前記第２電極連結部の第４線幅より大きく、且つ、前記第２中間連結部の第５線幅が前記第２電極連結部の第４線幅と同じことを特徴とする。
【００２１】
前記第１コネクタ連結部の第３線幅は前記第１線幅より大きく、前記第２コネクタ連結部の第６線幅は前記第４線幅より大きく、前記第２中間連結部の第５線幅が前記第２電極連結部の第４線幅より小さく、前記第２中間連結部の長さが前記第１中間連結部の長さより大きく、前記第１電極部は、前記第１コネクタ連結部と繋がれて前記第１コネクタ連結部の第３線幅より小さな線幅を持った補助連結部をさらに含むことを特徴とする。
【００２２】
前記補助連結部を含む前記第１電極部の長さは前記第２電極部の長さと等しいことを特徴とする。
【００２３】
前記第１コネクタ連結部の第３線幅は前記第１線幅より大きく、前記第２コネクタ連結部の第６線幅は前記第２電極連結部の第４線幅より大きく、前記第２中間連結部の線幅が前記第２電極連結部の第４線幅より小さく、前記第２中間連結部の長さが前記第１中間連結部の長さより大きく、前記電極パッドは、前記プラズマディスプレイパネルの電極と繋がれて第７線幅を持った第３電極連結部、一方端が前記第３電極連結部と繋がれて第７線幅より小さな第８線幅を持つ第３中間連結部と一方端が前記第３ 中間連結部の他の方端と繋がれて第８線幅より大きい第９線幅を持った第３コネクタ連結部を含む第３電極部をさらに含んでいる。また、前記第３電極部は、前記第２電極部に隣接するように配置され、前記第３中間連結部の長さは前記第２中間連結部より大きいことを特徴とする。
【発明の効果】
【００２４】
本発明は中間連結部の線幅を狭くしてコネクタ連結部の幅を広くすることで位置決め公差を確保する。
【００２５】
本発明は中間連結部の線幅を狭くしてコネクタ連結部の幅を広くすることでマイグレイションによる電極間の電気的な短絡を防止する。
【００２６】
本発明はコネクタ連結部の幅を広くすることでコネクタ電極との接触性を向上させる。
【００２７】
本発明は中間連結部の線幅を狭くしてコネクタ連結部の幅を広くすることで電極部の間のピッチをさらに減らすことができる。
【発明を実施するための最良の形態】
【００２８】
以下では本発明による具体的な実施形態を添付された図面を参照して説明する。
【００２９】
図３は本発明の電極パッドを含むプラズマディスプレイ装置を示す。図３に示すように、本発明の電極パッドを含むプラズマディスプレイ装置は、電極を含むプラズマディスプレイパネル１、プラズマディスプレイパネル１を駆動する電極駆動部１０及び電極駆動部１０と電極３とを連結する電極パッド１１を含む。電極パッド１１は以下の実施形態を通じて詳しく説明する。
【００３０】
〔第１実施形態〕
図４は本発明によるプラズマディスプレイ装置の電極パッドの第１実施形態を示す平面図である。図４に示すように、本発明の第１実施形態によるプラズマディスプレイ装置の電極パッド１１は、第１電極部２１０と第２電極部２１０’とを含む。
【００３１】
第１電極部２１０は、プラズマディスプレイパネルのスキャン電極３と繋がれて第１線幅を持った第１電極連結部２１１と、一方端が第１電極連結部２１１と繋がれて第１線幅より小さな第２線幅を持つ第１中間連結部２１２と、一方端が前記第１中間連結部の他の方端と繋がれて前記第２線幅より大きい第３線幅を持った第１コネクタ連結部２１３とを含む。ここでは、スキャン電極３の電極パッド１１を例に挙げて説明するが、サステイン電極４、アドレス電極２についても電極パッド１１は同様に構成される。
【００３２】
第２電極部２１０’は、プラズマディスプレイパネルのスキャン電極３と繋がれて第４線幅を持った第２電極連結部２１１’、一方端が第２電極連結部２１１’と繋がれて第４線幅以下の第５線幅を持つ第２中間連結部２１２’と、一方端が前記第２中間連結部２１２’の他の方端と繋がれて前記第５線幅より大きい第６線幅を持った第２コネクタ連結部２１３’とを含む。
【００３３】
この時、第１電極部２１０は第２電極部２１０’に隣接するように配置されて、第１中間連結部２１２の長さと第２中間連結部２１２’の長さは互いに異なることを特徴とする。言い換えれば、第１電極連結部２１１と第１コネクタ連結部２１３との間の距離と、第２電極連結部２１１’と第２コネクタ連結部２１３’との間の距離とは、互いに異なる。第１電極連結部と第１コネクタ連結部との間の距離は、第２電極連結部と第２コネクタ連結部との間の距離よりも短い。また、本実施形態では、第１電極連結部２１１と第２電極連結部２１１’とは、第１電極部２１０及び第２電極部２１０’が延在する方向（第１方向）に於いて同じ位置に配置されて同一直線上に配置される一方、第１コネクタ連結部２１３と第２コネクタ連結部２１３’とは第１方向に於いて異なる位置に配置されて同一直線上には配置されない場合を例示している。
【００３４】
図４に示す本発明の第１実施形態は、第１中間連結部２１２の長さが第２中間連結部２１２’の長さより短く、第２電極部２１０’の第２中間連結部２１２’の線幅が第２電極連結部２１１’の第４線幅より小さな場合を示す。
【００３５】
第１コネクタ連結部２１３の第３線幅は第１電極連結部２１１の第１線幅より大きく、第２コネクタ連結部２１３’の第６線幅は第２電極連結部２１１’の第４線幅より大きいことが望ましい。
【００３６】
第１電極部２１０と第２電極部２１０‘はガラス基板１１１上に形成される。第１電極連結部２１１と第２電極連結部２１１’はホワイト-バック層１１２によって覆われている。また、第１コネクタ連結部２１３と第２コネクタ連結部２１３’はＡＣＦ層１１３によって覆われている。第１中間連結部２１２と第２中間連結部２１２’の一部はホワイト-バック層１１２とＡＣＦ層１１３の間の領域で露出する。
【００３７】
図５は本発明によるプラズマディスプレイ装置の電極パッドの第１実施形態の詳細平面図である。図５に示すように、第１中間連結部２１２の第２線幅が第１電極連結部２１１の第１線幅（ｄ）より２ｗ位小さい場合、第１コネクタ連結部２１３の線幅(ｂ）は第１電極連結部２１１の線幅(ｄ）より大きくすることが可能である。
【００３８】
例えば第１コネクタ連結部２１３の線幅(ｂ）が（ｄ＋２ｗ）になれば、第１コネクタ連結部２１３と第２中間連結部２１２’との間隔(ａ）は、ｅ＋ｗになる。 したがって、第１コネクタ連結部２１３の線幅(ｂ）は従来の電極パッドの電極線幅(ｄ）より大きく、且つ、第１コネクタ連結部２１３と第２中間連結部２１２’の間隔(ａ）は従来の電極パッドの電極と電極の間の間隔(ｅ）より大きいので位置決め公差が確保される。この時、第１コネクタ連結部２１３と第２中間連結部２１２’の間隔(ａ）と、第 １ コネクタ連結部２１３の線幅(ｂ）が等しい場合、最大位置決め公差が確保される。
【００３９】
また、第１中間連結部２１２と第２中間連結部２１２’の間隔(ｆ）は、従来電極と電極の間の間隔(ｅ）より大きいのでマイグレイションによる電気的な短絡が防止される。
【００４０】
また、第１コネクタ連結部２１３の線幅(ｂ）が従来の電極パッドの電極線幅(ｄ）より大きいのでコネクタ電極との接触性が向上する。
【００４１】
また、本発明の電極パッドは電極の間のピッチを減らすことができる。すなわち、本発明は位置決め公差を確保してマイグレイションで電気的な短絡を防止するので電極の間のピッチをさらに減らすことができる。
【００４２】
この時、第１コネクタ連結部２１３の線幅は互いに異なることができる。また、第１コネクタ連結部２１３の線幅の差は５ｕｍ以上最大１００ｕｍ以下で設定するのが望ましい。また第２コネクタ連結部２１３’の線幅は互いに異なることができる。また、第２コネクタ連結部２１３’の線幅の差は５ｕｍ以上最大１００ｕｍ以下で設定するのが望ましい。
【００４３】
〔第２実施形態〕
図６は本発明によるプラズマディスプレイ装置の電極パッドの第２実施形態を示す平面図である。図６に示すように、本発明の第２実施形態は第２電極部２１０’の第２中間連結部２１２’の第５線幅が第２電極連結部２１１’の第４線幅と略同一又は同一の場合を示す。
【００４４】
第１実施形態と同じく第１コネクタ連結部２１３と第２コネクタ連結部２１３’は、それぞれ、第１線幅及び第４線幅よりそれぞれ大きい第３線幅及び第６線幅を持つのが望ましい。
【００４５】
第１電極部２１０と第２電極部２１０’はガラス基板１１１上に形成される。第１電極連結部２１１と第２電極連結部２１１’はホワイト-バック層１１２によって覆われている。また、第１コネクタ連結部２１３と第２コネクタ連結部２１３’はＡＣＦ層１１３によって覆われている。第１中間連結部２１２と第２中間連結部２１２’の一部はホワイト-バック層１１２とＡＣＦ層１１３の間の領域で露出する。
【００４６】
第２ 実施形態での第１中間連結部２１２と第２中間連結部２１２’の間隔は、第１実施形態での第１中間連結部２１２と第２中間連結部２１２’の間隔(ｆ）より減少するものの、従来の電極と電極の間の間隔(ｅ）より大きいのでマイグレイションによる電気的な短絡が防止される。
【００４７】
第２実施形態での第１コネクタ連結部２１３と第２中間連結部２１２’との間隔は、第１実施形態での第１コネクタ連結部２１３と第２中間連結部２１２’との間隔(ａ）と等しいので位置決め公差が確保される。
【００４８】
また、第１コネクタ連結部２１３の第３線幅が、図５に示す従来の電極パッドの電極線幅(ｄ）より大きいのでコネクタ電極との接触性が向上する。
【００４９】
この時、第１コネクタ連結部２１３の第３線幅は互いに異なることができる。また、第１コネクタ連結部の線幅の差は５ｕｍ以上最大１００ｕｍ以下で設定するのが望ましい。第２コネクタ連結部２１３’の第６線幅は互いに異なることができる。また、第２コネクタ連結部２１３’の第６線幅の差は５ｕｍ以上最大１００ｕｍ以下で設定するのが望ましい。
【００５０】
〔第３実施形態〕
図７は本発明によるプラズマディスプレイ装置の電極パッドの第３実施形態を示す平面図である。図７に示すように、第２中間連結部２１２’の線幅が第４線幅より小さく且つ第２中間連結部２１２’の長さが第１中間連結部２１２の長さより大きい場合、第３ 実施形態の第１電極部２１０は、第１ コネクタ連結部２１３と繋がれて第１コネクタ連結部２１３の第３線幅より小さな線幅を持った補助連結部２１４をさらに含む。この時、補助連結部２１４を含む第１電極部２１０の長さは第２電極部２１０’の長さと等しいのが望ましい。
【００５１】
このような本発明の第３実施形態は、本発明の第１実施形態が提供する效果を提供するだけでなく、コネクタ電極との接触性をさらに向上させることができる。
【００５２】
第１実施形態と同じく第１コネクタ連結部２１３と第２コネクタ連結部２１３’は、それぞれ、第１線幅と第４線幅より各々大きい第３線幅と第６線幅を持つのが望ましい。
【００５３】
第１電極部２１０と第２電極部２１０’はガラス基板１１１上に形成される。第１電極連結部２１１と第２電極連結部２１１’はホワイト-バック層１１２によって覆われている。また、補助連結部２１４を含む第１コネクタ連結部２１３及び第２コネクタ連結部２１３’は、ＡＣＦ層１１３によって覆われている。第１中間連結部２１２と第２中間連結部２１２’の一部はホワイト-バック層１１２とＡＣＦ層１１３間の領域で露出する。
【００５４】
第１コネクタ連結部２１３の第３線幅は互いに異っても良い。また、第１コネクタ連結部２１３の第３線幅の差は５ｕｍ以上最大１００ｕｍ以下で設定するのが望ましい。
第２コネクタ連結部２１３’の第６線幅は互いに異っても良い。また、第２コネクタ連結部の線幅の差は５ｕｍ以上最大１００ｕｍ以下で設定するのが望ましい。
【００５５】
〔第４実施形態〕
図８は本発明によるプラズマディスプレイ装置の電極パッドの第４実施形態を示す平面図である。図８に示すように、第２中間連結部２１２’の線幅が第４線幅より小さく且つ第２中間連結部２１２’の長さが第１中間連結部２１２の長さより大きい場合、本発明の第４実施形態は、プラズマディスプレイパネルの電極と繋がれて第７線幅を持った第３電極連結部２１１”、一方端が第３電極連結部２１１””と繋がれて第７線幅より小さな第８線幅を持つ第３中間連結部２１２”及び一方端が第３ 中間連結部２１２”の他の方端と繋がれて第８線幅より大きい第９線幅を持った第３コネクタ連結部２１３”を含む第３電極部２１０”をさらに含む。この時、第３電極部２１０”は、第２ 電極部２１０’に隣接するように配置され、第３中間連結部２１２”の長さは第２中間連結部２１２’より大きい。本実施形態では、第３中間連結部２１２”の両側に第２中間連結部２１２’が配置されている。
【００５６】
第１電極部２１０、第２電極部２１０’及び第３電極部２１０”は、ガラス基板１１１上に形成される。第１電極連結部２１１、第２電極連結部２１１’及び第３電極連結部２１１”はホワイト-バック層１１２によって覆われている。また、第１コネクタ連結部２１３、第２コネクタ連結部２１３’及び第３コネクタ連結部２１３”はＡＣＦ層１１３によって覆われている。第１中間連結部２１２、第２中間連結部２１２’及び第３中間連結部２１２”の一部は、ホワイト-バック層１１２とＡＣＦ層１１３間の領域で露出する。
【００５７】
第１コネクタ連結部２１３の第３線幅は互いに異なることができる。また、第１コネクタ連結部２１３の第３線幅の差は５ｕｍ以上最大１００ｕｍ以下で設定するのが望ましい。
第２コネクタ連結部２１３’の線幅は互いに異なることができる。また、第２コネクタ連結部２１３’の線幅の差は５ｕｍ以上最大１００ｕｍ以下で設定するのが望ましい。
また第３コネクタ連結部２１３”の線幅は互いに異なることができる。また、第３コネクタ連結部２１３”の線幅の差は５ｕｍ以上最大１００ｕｍ以下で設定するのが望ましい。
【００５８】
このような本発明の第４実施形態は第１実施形態で提供する效果と共に、中間連結部の長さとコネクタ連結部の位置をより多様にできる。
【００５９】
〔第５実施形態〕
図９は本発明によるプラズマディスプレイ装置の電極パッドの第５実施形態を示す平面図である。図９に示すように、本発明の第５実施形態による電極パッドは、第１コネクタ連結部２１３の第３線幅が第１中間連結部２１２の第２線幅と等しく、且つ、第２コネクタ連結部２１３’の第６線幅が第２中間連結部２１２’の第５線幅と等しいことを特徴とする。この時、第１電極部２１０と第２電極部２１０’の長さは同じである。
【００６０】
第１電極部２１０と第２電極部２１０’はガラス基板１１１上に形成される。第１電極連結部２１１と第２電極連結部２１１’はホワイト-バック層１１２によって覆われている。また、第１コネクタ連結部２１３と第２コネクタ連結部２１３’はＡＣＦ層１１３によって覆われている。第１中間連結部２１２と第２中間連結部２１２’の一部はホワイト-バック層１１２とＡＣＦ層１１３の間の領域で露出する。
【００６１】
このような本発明の第５実施形態による電極パッドはマイグレイションによる電極部の間の電気的な短絡を防止することができる。
【図面の簡単な説明】
【００６２】
【図１】一般的なプラズマディスプレイ装置の分解斜視図。
【図２】従来のプラズマディスプレイ装置の電極パッドを示す平面図。
【図３】一般的なプラズマディスプレイ装置の電極パッドを示す平面図。
【図４】本発明によるプラズマディスプレイ装置の電極パッドの第１実施形態を示す平面図。
【図５】本発明によるプラズマディスプレイ装置の電極パッドの第１実施形態の詳細平面図。
【図６】本発明によるプラズマディスプレイ装置の電極パッドの第２ 実施形態を示す平面図。
【図７】本発明によるプラズマディスプレイ装置の電極パッドの第３ 実施形態を示す平面図。
【図８】本発明によるプラズマディスプレイ装置の電極パッドの第４実施形態を示す平面図。
【図９】本発明によるプラズマディスプレイ装置の電極パッドの第５実施形態を示す平面図である。
【符号の説明】
【００６３】
１  プラズマディスプレイパネル
２  アドレス電極
３  スキャン電極
４  サステイン電極
５  誘電体層
６  保護層
７  隔壁
８  蛍光体
１０  電極駆動部
１１  電極パッド
１１１  ガラス基板
１１２  ホワイト-バック層
１１３  ＡＣＦ層
２１０，２１０’，２１０”  第１電極部，第２電極部，第３電極部
２１１，２１１’，２１１”  第１電極連結部，第２電極連結部，第３電極連結部
２１２，２１２’，２１２”  第１中間連結部，第２中間連結部，第３中間連結部
２１３，２１３’，２１３”  第１コネクタ連結部，第２コネクタ連結部，第３コネクタ連結部
【図１】
2006073536.tif 000003
【図２】
2006073536.tif 000004
【図３】
2006073536.tif 000005
【図４】
2006073536.tif 000006
【図５】
2006073536.tif 000007
【図６】
2006073536.tif 000008
【図７】
2006073536.tif 000009
【図８】
2006073536.tif 000010
【図９】
2006073536.tif 000011